(57)【要約】【課題】被設置部への取付け作業やメンテナンス作業を向上できる照明器具を提供する。【解決手段】被設置部に設けられる取付部材１と；この取付部材１に取付けられて保持される光源部２と；前記取付部材１と前記光源部２との間に介在される磁石３ａ、３ｂによる吸着手段と；前記取付部材１に前記光源部２を係止する係止機構４と；を有している。前記取付部材１に前記光源部２が取付けられることにより、前記吸着手段により光源部２が取付部材１側に吸着されるとともに、前記係止機構４により光源部２が取付部材１側に係止される。【選択図】図２
2018055774.tif 000002
【特許請求の範囲】
【請求項１】
被設置部に設けられる取付部材と；
この取付部材に取付けられて保持される光源部と；
前記取付部材と前記光源部との間に介在される磁石による吸着手段と；
前記取付部材に前記光源部を係止する係止機構と；
を有し、
前記取付部材に前記光源部が取付けられることにより、前記吸着手段により光源部が取付部材側に吸着されるとともに、前記係止機構により光源部が取付部材側に係止されることを特徴とする照明器具。
【請求項２】
前記取付部材には、給電部が配設されており、前記光源部には受電部が配設されていて、取付部材に光源部が取付けられることにより、前記給電部に前記受電部が電気的に接続されることを特徴とする請求項１に記載の照明器具。
【発明の詳細な説明】
【技術分野】
【０００１】
本発明の実施形態は、被設置部に設けられる取付部材に光源部を取付ける照明器具に関する。
【背景技術】
【０００２】
近時、低消費電力、高効率化、長寿命化及び薄型化が可能な光源としてＬＥＤ（発光ダイオード）や有機ＥＬ（エレクトロルミネッセンス）素子層を用いた面状光源が開発されている。このような光源は、屋内用や屋外用として各種照明器具に用いられることが考えられている。
【０００３】
従来、例えば、バスや鉄道車両等の車両における車内灯に用いられる照明器具は、車両の天井面（被設置部）に設置される器具本体を備えており、この器具本体の前面側に光源部が設けられている。この場合、器具本体は、天井面に取付ボルト等を用いて取付けられる。
【０００４】
一方、照明体に磁石を設け、この磁石を用いて天井面に吸着固定する照明装置が提案されている。この照明装置には、落下を防止するためにチェーンやワイヤの落下防止具が取付けられるようになっている。
【先行技術文献】
【特許文献】
【０００５】
【特許文献１】特開２０１３−９９９９８号公報
【特許文献２】特開２０１３−２２６８９７号公報
【特許文献３】特開２００７−１３１４１６号公報
【発明の概要】
【発明が解決しようとする課題】
【０００６】
しかしながら、上記のような照明器具では、被設置部への取付け作業やメンテナンス作業において、その作業性が効率的ではないという課題が生じる。
【０００７】
本発明は、上記課題に鑑みなされたもので、被設置部への取付け作業やメンテナンス作業を向上できる照明器具を提供することを目的とする。
【課題を解決するための手段】
【０００８】
本発明の実施形態による照明器具は、被設置部に設けられる取付部材と；この取付部材に取付けられて保持される光源部と；前記取付部材と前記光源部との間に介在される磁石による吸着手段と；前記取付部材に前記光源部を係止する係止機構と；を有している。前記取付部材に前記光源部が取付けられることにより、前記吸着手段により光源部が取付部材側に吸着されるとともに、前記係止機構により光源部が取付部材側に係止される。
【発明の効果】
【０００９】
本発明の実施形態によれば、被設置部への取付け作業やメンテナンス作業を向上できる照明器具を提供することが可能となる。
【図面の簡単な説明】
【００１０】
【図１】本発明の実施形態に係る照明器具を示し、被設置部に取付けられている状態を示す斜視図である。
【図２】同照明器具における取付部材に光源部を取付ける状態を示す側面図である。
【図３】同照明器具における取付部材の前面側を示す斜視図である。
【図４】同照明器具における光源部の背面側を示す斜視図である。
【図５】図２中、Ａ部を示す拡大図である。
【図６】図４中、Ｂ部を示す拡大図である。
【図７】係止機構を示す拡大斜視図である。
【発明を実施するための形態】
【００１１】
以下、本発明の実施形態について図１乃至図７を参照して説明する。本実施形態では、バスや電車等の車両における車内灯として用いられる照明器具を示している。各図において同一部分には同一符号を付し、重複した説明は省略する。
【００１２】
照明器具は、車両の天井面等の被設置部に取付けられる長尺状の一対の取付部材１と、この取付部材１に取付けられる光源部２とを備えている。なお、天井面等の被設置部側を背面側とし、照明器具からの光の照射側を前面側として説明する。
【００１３】
このような照明器具は、電源ユニットから取付部材１を経由して光源部２へと電力が供給されるが、本実施形態においては、電源ユニットは、図示を省略する別置タイプのものが用いられている。
【００１４】
電源部ユニットは、ケース内に回路部品を収容して構成されており、外部電源に接続されて、この外部電源を受けて直流出力を生成するものである。電源部ユニットは、例えば、全波整流回路の出力端子間に平滑コンデンサを接続し、この平滑コンデンサに直流電圧変換回路及び電流検出手段を接続して構成されている。
【００１５】
電源部ユニットは、光源部２に接続されるようになっていて、その直流出力を光源部２に供給し、光源部２を点灯制御する。
【００１６】
図２及び図３に示すように、一対の取付部材１ａ、１ｂは、例えば、溶融亜鉛めっき鋼鈑等の金属材料を折曲して長尺状の略樋状に形成されている。具体的には、取付部材１ａ、１ｂは、底壁１１、側壁１２及び内側の側壁１２から幅方向に延出した延出壁１３を有している。
【００１７】
また、取付部材１ａ、１ｂには、磁石３ａ及び給電コネクタ４が設けられており、外側の側壁１２には、後述する係止機構５の可動部材５１が係止する係止孔６が形成されている。
【００１８】
磁石３ａは、吸着手段を構成するものであり、取付部材１ａ、１ｂの底壁１１の両端側に配設されている。磁石３ａは、凸状をなして両側に取付け片が形成されており、この取付片が底壁１１にねじ止め等によって固定されるようになっている。
【００１９】
延出壁１３には、基板７が取り付けられており、この基板７の一端側には給電部として給電コネクタ４が配設されている。この給電コネクタ４は、図５に示すように凹状部４１を有して略直方体形状の外形をなしている。また、給電コネクタ４は、図３に示すように取付部材１ａと取付部材１ｂとの間においては、略対角線上に位置して配設されるようになっている。
【００２０】
なお、取付部材１ａ、１ｂは、配線ダクト形式のものを用いてもよい。この場合、取付部材１ａ、１ｂとして並行して２本の配線ダクトを被設置部に設置する。特に、複数の光源部を直線状に並設する場合に好適となる。
【００２１】
次に、光源部２は、図１、図２及び図４に示すようにパネル状に形成されており、有機ＥＬ素子層を用いた面状光源２１、端子カバー２２、磁石３ｂ、係止機構５及び受電コネクタ８を備えている。この面状光源２１は、薄型であり軽量化が図られている。
【００２２】
面状光源２１は、１枚の有機ＥＬパネルで構成されており、概略的には透光性の基板と、この基板上に形成された有機ＥＬ素子層と、この有機ＥＬ素子層を気密的に封止する封止部材とを備えている。透光性の基板は、不燃性であるガラス板から形成されていて、光が透過する材料が用いられている。なお、有機ＥＬパネルは、複数枚を長手方向に並べて構成するようにしてもよい。
【００２３】
面状光源２１の両側には、面状光源２１の長手方向に沿って端子部を覆う絶縁性を有する端子カバー２２が設けられている。
【００２４】
また、面状光源２１の背面側には、磁石３ｂが配設されている。磁石３ｂは、前記磁石３ａと同様に、吸着手段を構成するものであり、端子カバー２２にねじ止め等によって固定されている。磁石３ｂは、略長方形状の受板状に形成されていて、前記取付部材１ａ、１ｂに設けられた磁石３ａと対向する位置に４個設けられている。したがって、取付部材１ａ、１ｂ側の磁石３ａと光源部２側との磁石３ｂとによって吸着手段が構成され、相互に吸着されるようになっている。なお、吸着手段は、対向する双方が磁石である場合であっても、一方が磁性体である場合であってもよい。
【００２５】
係止機構５は、端子カバー２２の長手方向の端部側に設けられており、全体として複数個、具体的には４個が配設されている。係止機構５は、図５乃至図７を併せて参照して示すように、可動部材５１、弾性部材としてばね部材５２及びばね受け部材５３を有している。可動部材５１は、平面状の本体部５１ａ、この本体部５１ａから立設されるように形成された爪状の斜面を有する係止片部５１ｂ及びばね受け部５１ｃ、さらに、前面側に形成された操作片部５１ｄを有している。また、ばね部材５２は、ばね受け部材５３とばね受け部５１ｃとの間に配設されている。
【００２６】
このような可動部材５１の操作片部５１ｄは、図１、図５及び図６に示すように端子カバー２２に形成されたガイド孔５１ｅに沿って移動できるようになっている。つまり、可動部材５１は、ばね部材５２の弾性力が付加された状態において、図５に代表して示すように横方向（矢印で示す）に移動可能に構成されている。
【００２７】
また、面状光源２１の背面側には、受電部として受電コネクタ８が配設されている。この受電コネクタ８は、図４に示すように前記給電コネクタ４と対向するように略対角線上に位置して配設されている。
【００２８】
この受電コネクタ８は、図５に示すように略直方体形状の外形をなしていて、この外形が給電コネクタ４の凹状部４１に嵌合するように構成されている。つまり、給電コネクタ４が雌部となり、受電コネクタ８が雄部となって相互が嵌合されて電気的な接続がなされるようになっている。
【００２９】
なお、給電コネクタ４及び受電コネクタ８は、磁石３ａ、３ｂの部分に配設するようにしてもよい。
【００３０】
次に、図２、図５及び図６を参照して照明器具の設置状態の概要について説明する。照明器具を被設置部に設置する場合には、まず、一対の取付部材１ａ、１ｂを被設置部に固定する。この一対の取付部材１ａ、１ｂが取付けられた状態で、光源部２を下から上方へ押し上げるようにして光源部２を取付部材１ａ、１ｂに取付ける。
【００３１】
この場合、取付部材１ａ、１ｂと光源部２とは、吸着手段によって光源部２が取付部材１ａ、１ｂ側に吸着されるように作用するとともに、係止機構５によって光源部２が取付部材１ａ、１ｂに係止されるようになる。
【００３２】
具体的には、取付部材１ａ、１ｂ側の磁石３ａと光源部２側の磁石３ｂとは、対向するように配置されているので、取付部材１ａ、１ｂ側の磁石３ａに光源部２側の磁石３ｂが吸着されて、光源部２が取付部材１ａ、１ｂ側に取付けられる方向の吸着力が働くようになる。
【００３３】
これとともに、係止機構５が動作して光源部２が取付部材１ａ、１ｂ側に係止して取り付けられる。光源部２を上方へ押し上げていくと、可動部材５１における係止片部５１ｂの斜面が取付部材１ａ、１ｂの側壁１２に接触して押され、係止片部５１ｂは、ばね部材５２の弾性力に抗して図５上、右方向に移動しながら側壁１２の内側に沿って上方へ移動する。続いて、所定寸法を移動すると、係止片部５１ｂは、側壁１２に形成された係止孔６に臨むようになり、ばね部材５２の弾性的な復元を伴って、係止孔６に挿入されて係止されるようになる。
【００３４】
また、上記吸着手段と係止機構５の動作とともに、給電コネクタ４と受電コネクタ８とが接続される。具体的には、受電コネクタ８が給電コネクタ４に嵌合され電気的な接続が行われる。
【００３５】
以上のように光源部２は、取付部材１ａ、１ｂに対し、磁石３ａ、３ｂによる吸着手段と係止機構５とにより機械的な接続が行われ、給電コネクタ４と受電コネクタ８とにより電気的な接続が行われる。また、これら機械的な接続及び電気的な接続は、光源部２を取付部材１ａ、１ｂに取付ける動作とともに同時的に行われるようになっている。
【００３６】
光源部２を取付部材１ａ、１ｂに取付けた照明器具の設置状態において、電源ユニットから電力を照明器具に供給すると、給電部である給電コネクタ４及び受電部である受電コネクタ８を経由して、光源部２における有機ＥＬパネルの面状光源２１に通電され面状光源２１は発光する。面状光源２１から出射された光は、車内に放射され所定の配光範囲に照射される。
【００３７】
この場合、取付部材１ａ、１ｂへの光源部２の機械的な接続は、磁石３ａ、３ｂによる吸着手段と係止機構５とによって行われている。したがって、この吸着手段の吸着作用により、係止機構５にかかる荷重負荷を軽減することができ、係止機構５の不具合の発生を抑制することができる。また、吸着手段により光源部２の取付状態を安定したものとすることが可能となる。
【００３８】
一方、光源部２を取付部材１ａ、１ｂから取り外す場合には、可動部材５１の操作片部５１ｄを操作して、係止孔６に係止している係止片部５１ｂを係止孔６から外し、吸着手段の吸着力に抗して下方に引っ張ることにより取り外すことができる。これにより前述のような機械的な接続及び電気的な接続が解かれる。
【００３９】
以上のように本実施形態によれば、被設置部への取付け作業やメンテナンス作業を向上することが可能となる。また、光源部２を取付部材１ａ、１ｂに取付ける場合、格別配線作業を必要とせず、工具の準備も不要とすることができる。
【００４０】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【００４１】
例えば、光源は、有機ＥＬパネルに限らず、ＬＥＤであってもよく、その種類が格別限定されるものではない。また、照明器具としては、車両における車内灯に好適に用いられるが、屋内又は屋外で使用される各種照明器具に適用が可能である。
【００４２】
また、電源ユニットは別置タイプのものが好ましいが、電源ユニットを照明器具に内蔵するタイプのものであっても適用することができる。さらに、取付部材は、光源部が取付けられる部材であり、取付部材として配線ダクト形式のものを用いることができる。取付部材は、格別その形式が限定されるものではない。
【符号の説明】
【００４３】
１・・・・・・・取付部材
２・・・・・・・光源部
３ａ、３ｂ・・・磁石
４・・・・・・・給電コネクタ
５・・・・・・・係止機構
８・・・・・・・受電コネクタ
２１・・・・・・面状光源
【図１】
2018055774.tif 000003
【図２】
2018055774.tif 000004
【図３】
2018055774.tif 000005
【図４】
2018055774.tif 000006
【図５】
2018055774.tif 000007
【図６】
2018055774.tif 000008
【図７】
2018055774.tif 000009